【事件の表示】
　特許第６３３９８７６号発明「駐車場管理システム」の特許異議申立事件について、次のとおり決定する。
【結　論】
　特許第６３３９８７６号の特許請求の範囲を訂正請求書に添付された特許請求の範囲のとおり、訂正後の請求項〔１〜９〕について訂正することを認める。
　特許第６３３９８７６号の請求項１〜９に係る特許を維持する。
【理　由】
第１　手続の経緯  
　特許第６３３９８７６号の請求項１〜９に係る特許についての出願は、平成２６年６月３０日に出願され、平成３０年５月１８日に特許権の設定登録がされ、同年６月６日に特許掲載公報が発行された。その後、同年１２月４日に特許異議申立人水野淳子（以下「申立人」という。）より請求項１〜９に対し特許異議の申立てがされ、平成３１年３月４日付けで取消理由が通知され、その指定期間内である同年４月２５日に意見書の提出及び訂正請求がされ、令和１年５月２０日付けで訂正請求があった旨が通知され（特許法第１２０条の５第５項）、同年６月２５日に申立人より意見書が提出され、同年７月１９日付けで取消理由（決定の予告）が通知され、その指定期間内である同年９月１９日に意見書の提出及び訂正請求がされ、同年１０月１０日付けで訂正請求があった旨が通知され（特許法第１２０条の５第５項）、同年１１月１３日に申立人より意見書が提出されたものである。
 　 　  
第２　訂正の適否  
１　訂正の内容  
　令和１年９月１９日付けの訂正請求による訂正（以下「本件訂正」という。）は、本件特許の特許請求の範囲を訂正請求書に添付した訂正特許請求の範囲のとおり、訂正後の請求項１〜９について訂正することを求めるものであり、その内容は以下のとおりである（下線部は訂正箇所を示す。）。  
　なお、平成３１年４月２５日付けの訂正請求は、特許法第１２０条の５第７項の規定により取り下げられたものとみなす。　
　
（１）訂正事項１  　
　特許請求の範囲の請求項１に  
「予約管理サーバにより予約を受け付けて駐車場の予約管理を行うとともに、要求に応じて予約変更を受け付け可能とし、前記予約管理サーバから送信される前記予約変更を受け付けた場合の変更情報を含む予約情報に基づいて前記予約管理サーバと通信可能な駐車場管理装置により現地において駐車場の管理を行う、駐車場管理システム。」と記載されているのを、 
「
予
互いに異なる場所にある複数の
統括する
する予約管理サーバと、
　
前記複数の駐車場ごとにそれぞれ配置され、前記予約管理サーバと通信可能で、
を入場状態に関するデータとともに格納し、格納した情報
て、
精算を含む
での入場から出場まで
複数の駐車場管理装置と
　
を備え、
　
前記複数の駐車場管理装置は、管轄下にある現地の駐車場ごとにおいて精算を行う精算機を管理し、
　
前記精算機は、クレジット決済用の決済システムと通信し、現地に設置された前記駐車場管理装置の管理下において、前記予約管理サーバを介さずに、現地と前記決済システムとの間でクレジット決済処理を可能にしている、
　
（２）訂正事項２
　特許請求の範囲の請求項３に
「現地の駐車場において前記駐車場管理装置による管理に基づいて精算を行う精算機を備え、
　前記精算機は、クレジット決済用の決済システムと通信し、前記予約管理サーバから送信される前記予約情報に基づいてクレジット決済処理を可能としている、請求項１及び２のいずれか一項に記載の駐車場管理システム。」と記載されているのを、  
「
前
前
　
（３）訂正事項３
　特許請求の範囲の請求項９に
「前記予約管理サーバは、互いに異なる場所にある複数の駐車場ごとにそれぞれ配置される複数の前記駐車場管理装置と通信可能であって、当該複数の駐車場の予約管理を統括し、
　複数の前記駐車場管理装置による管理に基づいて精算をそれぞれ行う各精算機は、管理を行う各駐車場において個別に設定された料金体系に基づいてそれぞれ精算処理を行う、請求項１から８までのいずれか一項に記載の駐車場管理システム。」と記載されているのを、  
「
前記
 　 
　本件訂正の特許請求の範囲に係る訂正は、一群の請求項〔１〜９〕に対して請求されたものである。 
 　 
２　訂正の適否  
（１）訂正の目的の適否、新規事項の有無、及び特許請求の範囲の拡張・変更の有無  
（１−１）　訂正事項１について 
ア　訂正事項１による訂正は、訂正前の請求項１に記載した発明を特定するために必要な事項である「予約管理サーバ」及び「駐車場管理装置」の構成について、「予約管理サーバ」が、「
予
互いに異なる場所にある複数の
統括する
する
前記複数の駐車場ごとにそれぞれ配置され、前記予約管理サーバと通信可能で、
を入場状態に関するデータとともに格納し、格納した情報
、
精算を含む
での入場から出場まで
複数の
管轄下にある現地の駐車場ごとにおいて精算を行う精算機を管理し、前記精算機は、クレジット決済用の決済システムと通信し、現地に設置された前記駐車場管理装置の管理下において、前記予約管理サーバを介さずに、現地と前記決済システムとの間でクレジット決済処理を可能にしている
　
イ　訂正Ａについて
　訂正Ａは、訂正前の請求項９の「前記予約管理サーバは、互いに異なる場所にある複数の駐車場ごとにそれぞれ配置される複数の前記駐車場管理装置と通信可能であって、当該複数の駐車場の予約管理を統括し」との記載等を根拠に、「予約管理サーバ」が、「予約を受け付けて
互いに異なる場所にある複数の
統括する
　
ウ　訂正Ｂについて
　訂正Ｂは、
（ア）訂正前の請求項９の「前記予約管理サーバは、互いに異なる場所にある複数の駐車場ごとにそれぞれ配置される複数の前記駐車場管理装置と通信可能であって、当該複数の駐車場の予約管理を統括し」との記載等を根拠に、「駐車場管理装置」が、「
複数
前記複数の駐車場ごとにそれぞれ配置され、前記予約管理サーバと通信可能で
（イ）本件特許の願書に添付した明細書（以下「本件明細書」といい、特許請求の範囲及び図面をも併せて「本件明細書等」という。）の段落【００３８】の「また、各駐車場管理装置２０では、図９（Ｄ）においてＡ駐車場の駐車場管理装置２０Ａについて例示するように、管轄下にある駐車場における予約番号、予約時間、車番及びクレジットカード番号とともに実際の入場状態に関するデータＤＡ１がリスト化され、予約情報格納メモリ２０ｍであるメモリｍＡ（図５参照）に格納されている。」との記載、段落【００４１】の「次に、予約した車両ＶＥ（予約車両）の現地駐車場での入場について説明する。・・・ＴＩＭ３０からの問合せを受け、駐車場管理装置２０は、予約情報の有無、予約日時分、予約の可否（ＯＫかＮＧか）の判定から入場の可否についてＴＩＭ３０に送信する（ステップ（７））。・・・なお、ＴＩＭ３０は、駐車券発行後、入場日時を含む入場情報を駐車場管理装置２０に送信し、駐車場管理装置２０は、当該情報を予約情報格納メモリ２０ｍ（以下、単にメモリとも表記する。）に格納する。」との記載、段落【００４２】の「最後に、予約した車両ＶＥの現地駐車場での出場について説明する。・・・ＡＣＴ４０からの問合せを受け、駐車場管理装置２０は、該当する車両の入場時刻等を含む入場情報を検索し、検索した結果である入場情報をＡＣＴ４０に送信する（ステップ（１０））。ＡＣＴ４０は、駐車場管理装置２０からの情報に基づいて料金精算を行い、精算が完了する（完納）と車両ＶＥの出場を許可する（ステップ（１１））。なお、ＡＣＴ４０は、出場処理後、出場日時を含む出場情報を駐車場管理装置２０に送信し、駐車場管理装置２０は、当該情報をメモリに格納する（ステップ（１２））。」との記載及び図５、９、１１等の記載を根拠に、「駐車場管理装置」が、予約情報を「
入場状態に関するデータとともに格納し、格納した情報
精算を含む
入場から出場まで
（ウ）訂正前の請求項３の「現地の駐車場において前記駐車場管理装置による管理に基づいて精算を行う精算機を備え、前記精算機は、クレジット決済用の決済システムと通信し、前記予約管理サーバから送信される前記予約情報に基づいてクレジット決済処理を可能としている」との記載、段落【００２５】の「図１に戻って、ＡＣＴ４０は、現地の駐車場において駐車場管理装置２０による管理に基づいて出場しようとする車両の精算を行う精算機である。ここで、ＡＣＴ４０は、クレジット決済用のクレジット決済システムＣＳと通信可能となっており、精算についてクレジットカードによる決済処理が可能となっている。つまり、ＡＣＴ４０は、現金による精算のほか、クレジットカードを利用した精算も受け付け可能となっている。」との記載及び図１等の記載を根拠に、「複数の駐車場管理装置」が、「
管轄下にある現地の駐車場ごとにおいて精算を行う精算機を管理し、前記精算機は、クレジット決済用の決済システムと通信し、現地に設置された前記駐車場管理装置の管理下において、前記予約管理サーバを介さずに、現地と前記決済システムとの間でクレジット決済処理を可能にしている
　  　
（１−２）　訂正事項２について
　訂正事項２は、上記訂正事項１に係る請求項１の訂正に合わせて、請求項３の記載を整合させるものであるから、明瞭でない記載の釈明を目的とするものといえ、新規事項の追加に該当せず、実質上特許請求の範囲を拡張し、又は変更するものでもない。
　  　
（１−３）　訂正事項３について
　訂正事項３は、上記訂正事項１に係る請求項１の訂正に合わせて、請求項９の記載を整合させるものであるから、明瞭でない記載の釈明を目的とするものといえ、新規事項の追加に該当せず、実質上特許請求の範囲を拡張し、又は変更するものでもない。
　  　
（２）まとめ 
　以上のとおりであるから、訂正事項１〜３に係る本件訂正は、特許法第１２０条の５第２項ただし書第１号及び第３号に掲げる事項を目的とするものであり、かつ、同条第９項において準用する同法第１２６条第５項及び第６項の規定に適合する。
　したがって、特許請求の範囲を、訂正請求書に添付された特許請求の範囲のとおり、訂正後の請求項〔１〜９〕について訂正することを認める。
 　　  
第３　本件発明  
　上記「第２」で述べたとおり、本件訂正は認められるので、本件特許の請求項１〜９に係る発明（以下「本件発明１〜９」という。）は、訂正特許請求の範囲の請求項１〜９に記載された事項により特定される次のとおりのものである。  
「【請求項１】 
　予約を受け付けて互いに異なる場所にある複数の駐車場の予約管理を統括するとともに、要求に応じて予約変更を受け付け可能とする予約管理サーバと、 
　前記複数の駐車場ごとにそれぞれ配置され、前記予約管理サーバと通信可能で、前記予約管理サーバから送信される前記予約変更を受け付けた場合の変更情報を含む予約情報を入場状態に関するデータとともに格納し、格納した情報に基づいて、現地において精算を含む駐車場での入場から出場までの管理を行う複数の駐車場管理装置と 
　を備え、
　前記複数の駐車場管理装置は、管轄下にある現地の駐車場ごとにおいて精算を行う精算機を管理し、
　前記精算機は、クレジット決済用の決済システムと通信し、現地に設置された前記駐車場管理装置の管理下において、前記予約管理サーバを介さずに、現地と前記決済システムとの間でクレジット決済処理を可能にしている、駐車場管理システム。 
【請求項２】 
　前記予約管理サーバは、前記予約変更として、駐車時間の延長又は予約キャンセルのうち少なくとも一方を受け付ける、請求項１に記載の駐車場管理システム。 
【請求項３】 
　前記精算機は、前記予約管理サーバから送信される前記予約情報に基づいてクレジット決済処理を可能としている、請求項１及び２のいずれか一項に記載の駐車場管理システム。 
【請求項４】 
　前記駐車場管理装置は、前記予約変更を受け付けた場合、前記精算機に、変更後の予約内容に基づいて精算を行わせる、請求項３に記載の駐車場管理システム。 
【請求項５】 
　前記駐車場管理装置は、前記予約情報に基づいて予約キャンセルがないまま未入場であった未入場車両があると判断された場合に、前記精算機に当該未入場車両に関するクレジット決済処理を行わせる、請求項３及び４のいずれか一項に記載の駐車場管理システム。 
【請求項６】 
　現地の駐車場において前記駐車場管理装置による管理に基づいて駐車券を発行する発券機を備え、 
　前記発券機は、前記予約管理サーバから送信される前記予約情報に基づいて予約された予約車両であるか否かを確認する予約車両確認部を有するとともに、前記予約車両であると確認された場合に、駐車券を発行するとともに確認結果を前記駐車場管理装置に送信する、請求項１から５までのいずれか一項に記載の駐車場管理システム。 
【請求項７】 
　前記予約管理サーバは、予約を行う車両の車両番号と紐付して予約管理を行う、請求項１から６までのいずれか一項に記載の駐車場管理システム。 
【請求項８】 
　前記予約管理サーバは、ユーザ端末装置からの予約及び予約の変更のほか、現地の駐車場に設置された機器からの予約及び予約の変更を受け付ける、請求項１から７までのいずれか一項に記載の駐車場管理システム。 
【請求項９】 
　前記精算機は、管理を行う各駐車場において個別に設定された料金体系に基づいてそれぞれ精算処理を行う、請求項１から８までのいずれか一項に記載の駐車場管理システム。」　  
 　  
第４　取消理由通知に記載した取消理由について
　なお、申立人の主張する特許異議申立の理由は、この取消理由通知において全て採用した。
１　取消理由の概要  
　訂正前の請求項１〜９に係る特許に対して令和１年７月１９日付けで特許権者に通知した取消理由（決定の予告）の概要は、次のとおりである。  
［取消理由１］
　本件特許の請求項１及び２に係る発明は、その出願前日本国内または外国において頒布された以下の甲第１号証に記載された発明であって、特許法第２９条第１項第３号に該当し、特許を受けることができないから、その発明に係る特許は取り消すべきものである。  
［取消理由２］
　本件特許の請求項１及び２に係る発明は、その出願前日本国内又は外国において頒布された甲第１号証に記載された発明及び慣用技術（甲第２及び５号証）に基いて、
　本件特許の請求項３〜５に係る発明は、その出願前日本国内又は外国において頒布された甲第１号証に記載された発明、上記慣用技術及び周知技術１（甲第２〜５号証）に基いて、
　請求項６に係る発明は、甲第１号証に記載された発明、上記慣用技術、上記周知技術１及び周知技術２（甲第５号証）に基いて、あるいは、甲１発明、上記慣用技術、上記周知技術１、２及び甲第６号証に記載された技術事項に基いて、
　請求項７に係る発明は、甲第１号証に記載された発明、上記慣用技術、上記周知技術１、上記周知技術２及び周知技術３（甲第６、７号証）に基いて、あるいは、甲第１号証に記載された発明、上記慣用技術、上記周知技術１〜３及び甲第６号証に記載された技術事項に基いて、
　請求項８に係る発明は、甲第１号証に記載された発明、上記慣用技術、上記周知技術１〜３及び周知技術４（甲第８、９号証）に基いて、あるいは、甲１発明、上記慣用技術、上記周知技術１〜４及び甲第６号証に記載された技術事項に基いて、
　請求項９に係る発明は、甲第１号証に記載された発明、上記慣用技術、上記周知技術１〜４及び技術常識（甲第１０、１１号証）に基いて、あるいは、甲第１号証に記載された発明、上記慣用技術、上記周知技術１〜４、甲第６号証に記載された技術事項及び上記技術常識に基いて、
　その出願前にその発明の属する技術の分野における通常の知識を有する者が容易に発明をすることができたものであって、特許法第２９条第２項の規定により特許を受けることができないから、その発明に係る特許は取り消すべきものである。  
 　 
　甲第１号証　：特開２００１−３４４６５５号公報  
　甲第２号証　：特開２００６−７９５５７号公報  
　甲第３号証　：特開２００４−３１０４３３号公報  
　甲第４号証　：特開２００３−２５６８９２号公報  
　甲第５号証　：特開２００３−２７２００４号公報  
　甲第６号証　：特開２００９−２３８１２４号公報  
　甲第７号証　：特開平１０−２７５２５７号公報  
　甲第８号証　：特開２００３−２４８８４９号公報  
　甲第９号証　：米国特許出願公開第２０１２／９２１９０号明細書  
　甲第１０号証：特開２００９−２９５０２７号公報  
　甲第１１号証：特開平８−１６５８１３号公報  
　なお、上記甲第１〜１１号証（以下「甲１〜１１」という。）は、申立人が提出した甲１〜１１である。  
 　  
２　当審の判断 
２−１　刊行物に記載された事項等  
２−１−１　甲１の記載事項等  
（１）甲１の記載事項  
　甲１には次の記載がある（なお、下線は当審で付した。以下同様。）。  
（１ａ）「【０００１】  
【発明の属する技術分野】
本発明は、
駐車場管理システム
に関する。
（１ｂ）「【００２６】
図１は、本発明を適応した駐車場管理システムの構成を示す図である。 
【００２７】
駐車場管理センタ１は、駐車場管理センタ１が管理する駐車場２−１乃至２−ｎに設置されている
駐車場ゲート制御ユニット２１、駐車情報表示ユニット２２、および駐車スペース制御ユニット２３と接続され、通信網３を介してユーザが有するユーザ端末装置４
に接続されている。
・・・  
【００２９】
駐車場２−１は
駐車スペースを有する。それぞれの駐車スペースには、
駐車スペース制御ユニット２３−１乃至２３−５０が、それぞれ備えられ、
駐車場２−１の車両の入り口、および出口は、それぞれ１ヶ所ずつ設けられており、
駐車場ゲート制御ユニット２１−１および２１−２が、それぞれ備えられている。
・・・  
【００３３】
駐車場管理センタ１は、パーソナルコンピュータ１１、顧客ＤＢ（Data Base）１２、利用状況ＤＢ１３、店舗情報ＤＢ１４、および駐車予約ＤＢ１５を有する。
・・・  
【００３５】
駐車場ゲート制御ユニット２１−１
は、駐車場２−１への車両の進入時の処理、および駐車場２−１からの車両の退出時の処理（清算処理を含む）を制御するものであり
・・・  
【００３９】
図５は、パーソナルコンピュータ１１の構成を示すブロック図である。
【００４０】
ＣＰＵ３１は、
入力された信号に基づいた各種処理
を実行する。
・・・  
【００４８】
図１０は、駐車場ゲート制御ユニット２１の構成を示すブロック図である。
【００４９】
制御部５１は、入出力インターフェース５２を介して駐車場管理センタ１のパーソナルコンピュータ１１から入力される制御信号に従って、
駐車予約ＤＢ５３のデータを書き込んだり、カードＲ／Ｗ部５４から入力されるユーザＩＤを基に、駐車予約ＤＢ５３を参照して、各種処理を実行し
・・・  
【００５１】
駐車予約ＤＢ５３には、
駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録される
ゲートを通過した時刻などの情報を登録するようにしてもよい。
・・・  
【０１０４】次に、図２１のフローチャートを参照して、図１９および図２０を用いて説明した処理と並行して実行される、
駐車場管理センタ１のパーソナルコンピュータ１１の駐車場予約処理について説明する。
・・・  
【０１０７】ステップＳ３３において、認証処理が正しく終了したと判断された場合、ステップＳ３４において、
ＣＰＵ３１は、
ユーザ端末装置４が
送信した、駐車場予約条件の入力を受ける。
・・・  
【０１０９】ステップＳ３５において、店舗情報ＤＢ１４に、ユーザの利用店舗が登録されていると判断された場合、ステップＳ３６において、ＣＰＵ３１は、内部バス３３、入出力インターフェース３２、およびネットワークインターフェース４０を介して、ステップＳ３４において
入力された駐車場予約条件を基に、店舗情報ＤＢ１４および利用状況ＤＢ１３を参照して、ユーザの利用店舗に最寄の出入口付近の空き駐車場スペースを検索する。
【０１１０】ステップＳ３７において、ＣＰＵ３１は、ステップＳ３６の検索結果を基に、空き駐車スペースがあるか否かを判断する。ステップＳ３７において、空き駐車スペースがないと判断された場合、ステップＳ３８において、ＣＰＵ３１は、ステップＳ３４において入力された駐車場予約条件を基に、内部バス３３、入出力インターフェース３２、およびネットワークインターフェース４０を介して、利用状況ＤＢ１３を検索し、最寄出入口付近以外では、空き駐車場スペースがあるか否かを判断する。ステップＳ３８において、空き駐車スペースがないと判断された場合、処理は、ステップＳ４４に進む。  
【０１１１】ステップＳ３７において、利用店舗に最寄の出入口付近に、
空き駐車スペースがあると判断された場合、
ＣＰＵ３１は、
検索結果を基に、予約駐車番号を確定し、新規の予約番号を発生する。
【０１１２】ステップＳ４０において、
ＣＰＵ３１は、
確定された予約駐車番号および予約番号を基に、
利用状況ＤＢ１３および駐車予約ＤＢ１５を更新する。
【０１１３】
ＣＰＵ３１は、
予約番号および駐車場予約情報をユーザ端末装置４に送信し、
駐車場ゲート制御ユニット２１および駐車スペース制御ユニット２３に予約番号および駐車場予約情報を送信する。
・・・  
【０２００】次に、図４５乃至図４７を用いて、駐車場２−１から、車両が退出する場合の処理について説明する。まず、図４５のフローチャートを参照して、
駐車場ゲート制御ユニット２１の車両退出処理について説明する。
【０２０１】ステップＳ２３１およびステップＳ２３２において、図２８のステップＳ７１およびステップＳ７２と同様の処理が実行される。
【０２０２】制御部５１は、ステップＳ２３３において、カードＲ／Ｗ部５４を介して、ＩＣカード５に清算ステータスの送信要求を送信し、ステップＳ２３４において、カードＲ／Ｗ部５４を介して、ＩＣカード５から清算ステータスを受信する。
【０２０３】ステップＳ２３５において、制御部５１は、ステップＳ２３４において受信した清算ステータスを基に、清算処理は終了しているか否かを判断する。ステップＳ２３５において、清算処理が終了していると判断された場合、処理は、ステップＳ２４２に進む。
【０２０４】ステップＳ２３５において、清算処理が終了していないと判断された場合、制御部５１は、ステップＳ２３６において、カードＲ／Ｗ部５４を介して、ＩＣカード５に駐車情報の送信要求を送信し、ステップＳ２３７において、カードＲ／Ｗ部５４を介して、ＩＣカード５から駐車情報を受信する。
【０２０５】
制御部５１は、
入力された駐車情報から、駐車料金を算出し、
算出された駐車料金を基に、
入金部から、現金の入金を受けたり、入出力インターフェース５２を介して、駐車場管理センタ１のパーソナルコンピュータ１１に、ユーザのクレジットカードによる清算処理を行わせるための制御信号を送信するなどして、清算処理を実行する。
【０２０６】制御部５１は、ステップＳ２４０において、カードＲ／Ｗ部５４を介して、ＩＣカード５に、清算終了ステータス書き込み要求を送信し、ステップＳ２４１において、入出力インターフェース５２を介して、駐車場管理センタ１のパーソナルコンピュータ１１に、ユーザＩＤおよび清算終了ステータス書き込み要求を送信する。
【０２０７】ステップＳ２４２乃至ステップＳ２４７において、図２８のステップＳ７８乃至ステップＳ８２と同様の処理が実行され、処理が終了される。
【０２０８】ステップＳ２３２において、相互認証が正しく終了されなかったと判断された場合、ステップＳ２４８乃至ステップＳ２５０において、図２８のステップＳ８３乃至ステップＳ８５と同様の処理が実行され、処理が終了される。
・・・
【０２３２】次に、図５０のフローチャートを参照して、図４８および図４９を用いて説明した処理と並行して実行される、
駐車場管理センタ１のパーソナルコンピュータ１１の駐車場キャンセル処理１について説明する。
【０２３３】ステップＳ３１１乃至ステップＳ３１３において、図２１のステップＳ３１乃至ステップＳ３３と同様の処理が実行される。  
【０２３４】ステップＳ３１３において、認証処理が正しく終了されたと判断された場合、
ＣＰＵ３１は、
ユーザ端末装置４が
送信した、駐車場予約キャンセル要求の入力を受け、
【０２３５】ステップＳ３１７において、
ＣＰＵ３１は、
利用状況ＤＢ１３、もしくは駐車予約ＤＢ１５を参照して、入力された予約番号で駐車場を予約しているユーザのユーザＩＤを検索し、顧客ＢＤを参照して、ユーザＩＤから、対応するユーザのクレジットカード番号
を検索する。 
【０２３６】
ＣＰＵ３１は、
利用状況ＤＢ１３、もしくは駐車予約ＤＢ１５を参照して、予約時刻から、現在時刻までの駐車料金を算出し、
該当するユーザのクレジットカードによる清算処理を実行する。
【０２３７】
ＣＰＵ３１は、
予約番号から、ゲート番号および駐車番号を検索し、
利用状況ＤＢ１３および駐車予約ＤＢ１５を更新する。
【０２３８】ステップＳ３２２において、
ＣＰＵ３１は、
対応する駐車場ゲート制御ユニット２１および駐車スペース制御ユニット２３に、予約番号および駐車場予約キャンセル情報を送信する。
・・・  
【０２４４】次に、図５１のフローチャートを参照して、図４８乃至図５０を用いて説明した処理と並行して実行される、
駐車場ゲート制御ユニット２１の予約キャンセル処理について説明する。
【０２４５】
制御部５１は、
入出力インターフェース５２を介して、駐車場管理センタ１のパーソナルコンピュータ１１より、予約のキャンセルを示す信号を受信し、
駐車予約ＤＢ５３を更新する。
【０２４６】ステップＳ３３３において、
制御部５１は、入出力インターフェース５２を介して、駐車場管理センタ１のパーソナルコンピュータ１１へ、予約キャンセルの完了を示す信号を送信し、処理が終了される。
（１ｃ）甲１には、以下の図が示されている。  
 
（２）甲１に記載された発明  
　甲１には、摘示（１ａ）のとおり、「駐車場管理システム」に関する技術について開示されているところ、摘示（１ｂ）（１ｃ）によれば、以下の事項が認定できる。 
　なお、甲１に記載された「駐車場２−１乃至２−ｎ」、「ユーザ端末装置４−１乃至４−ｍ」、「駐車場ゲート制御ユニット２１−１および２１−２」及び「駐車スペース制御ユニット２３−１乃至２３−５０」は、便宜的に、それぞれ「駐車場２」、「ユーザ端末装置４」、「駐車場ゲート制御ユニット２１」及び「駐車スペース制御ユニット２３」と表記する。 
 ア　駐車場管理システムは、駐車場管理センタ１、駐車場ゲート制御ユニット２１、駐車情報表示ユニット２２及び駐車スペース制御ユニット２３を有すること（段落【００２６】〜【００２７】、図１） 
イ　駐車場管理センタ１は、駐車場管理センタ１が管理する駐車場２に設置されている駐車場ゲート制御ユニット２１、駐車情報表示ユニット２２、および駐車スペース制御ユニット２３と接続され、通信網３を介してユーザが有するユーザ端末装置４に接続されること（段落【００２７】） 
ウ　駐車場管理センタ１は、複数の駐車場２を管理すること（段落【００２７】、図１） 
 エ　駐車場２は、駐車スペースを有し、それぞれの駐車スペースには、駐車スペース制御ユニット２３が、それぞれ備えられること（段落【００２９】）  
オ　駐車場２の車両の入り口、および出口は、それぞれ１ヶ所ずつ設けられるとともに、駐車場ゲート制御ユニット２１がそれぞれ備えられること（段落【００２９】）  
カ　駐車場管理センタ１は、パーソナルコンピュータ１１、顧客ＤＢ（Data Base）１２、利用状況ＤＢ１３、店舗情報ＤＢ１４、および駐車予約ＤＢ１５を有すること（段落【００３３】）  
キ　駐車場ゲート制御ユニット２１は、駐車場２への車両の進入時の処理、および駐車場２からの車両の退出時の処理（清算処理を含む）を制御すること（段落【００３５】）  
ク　パーソナルコンピュータ１１を構成するＣＰＵ３１は、入力された信号に基づいた各種処理を実行すること（段落【００３９】〜【００４０】） 
ケ　駐車場ゲート制御ユニット２１は、制御部５１及び駐車予約ＤＢ５３を有すること（段落【００４８】、図１０） 
コ　制御部５１は、入出力インターフェース５２を介して駐車場管理センタ１のパーソナルコンピュータ１１から入力される制御信号に従って、駐車予約ＤＢ５３のデータを書き込んだり、カードＲ／Ｗ部５４から入力されるユーザＩＤを基に、駐車予約ＤＢ５３を参照して、各種処理を実行すること（段落【００４９】） 
サ　駐車予約ＤＢ５３には、駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録されるとともに、ゲートを通過した時刻などの情報を登録するようにしてもよいこと（段落【００５１】） 
シ　駐車場管理センタ１のパーソナルコンピュータ１１の駐車場予約処理について、ＣＰＵ３１は、ユーザ端末装置４が送信した、駐車場予約条件の入力を受け、入力された駐車場予約条件を基に、店舗情報ＤＢ１４および利用状況ＤＢ１３を参照して、ユーザの利用店舗に最寄の出入口付近の空き駐車場スペースを検索し、空き駐車スペースがあると判断された場合、検索結果を基に、予約駐車番号を確定し、新規の予約番号を発生し、確定された予約駐車番号および予約番号を基に、利用状況ＤＢ１３および駐車予約ＤＢ１５を更新し、予約番号および駐車場予約情報をユーザ端末装置４に送信し、駐車場ゲート制御ユニット２１および駐車スペース制御ユニット２３に予約番号および駐車場予約情報を送信すること（段落【０１０４】、【０１０７】、【０１０９】〜【０１１３】）  
ス　駐車場ゲート制御ユニット２１の車両退出処理について、制御部５１は、入力された駐車情報から、駐車料金を算出し、算出された駐車料金を基に、入金部から、現金の入金を受けたり、入出力インターフェース５２を介して、駐車場管理センタ１のパーソナルコンピュータ１１に、ユーザのクレジットカードによる清算処理を行わせるための制御信号を送信するなどして、清算処理を実行すること（段落【０２００】〜【０２０５】）
セ　駐車場管理センタ１のパーソナルコンピュータ１１の駐車場キャンセル処理について、ＣＰＵ３１は、ユーザ端末装置４が送信した駐車場予約キャンセル要求の入力を受け、利用状況ＤＢ１３、もしくは駐車予約ＤＢ１５を参照して、入力された予約番号で駐車場を予約しているユーザのユーザＩＤを検索し、顧客ＢＤを参照して、ユーザＩＤから、対応するユーザのクレジットカード番号を検索し、利用状況ＤＢ１３、もしくは駐車予約ＤＢ１５を参照して、予約時刻から、現在時刻までの駐車料金を算出し、該当するユーザのクレジットカードによる清算処理を実行し、予約番号から、ゲート番号および駐車番号を検索し、利用状況ＤＢ１３および駐車予約ＤＢ１５を更新し、対応する駐車場ゲート制御ユニット２１および駐車スペース制御ユニット２３に、予約番号および駐車場予約キャンセル情報を送信すること（段落【０２３２】〜【０２３８】） 
ソ　駐車場ゲート制御ユニット２１の予約キャンセル処理について、制御部５１は、入出力インターフェース５２を介して、駐車場管理センタ１のパーソナルコンピュータ１１より、予約のキャンセルを示す信号を受信し、駐車予約ＤＢ５３を更新し、入出力インターフェース５２を介して、駐車場管理センタ１のパーソナルコンピュータ１１へ、予約キャンセルの完了を示す信号を送信し、処理が終了されること（段落【０２４４】〜【０２４６】）  
　  
　以上によれば、甲１には次の発明（以下「甲１発明」という。）が記載されていると認められる。 
「駐車場管理センタ１、駐車場ゲート制御ユニット２１、駐車情報表示ユニット２２及び駐車スペース制御ユニット２３を有する駐車場管理システムであって、 
　駐車場管理センタ１は、駐車場管理センタ１が管理する駐車場２に設置されている駐車場ゲート制御ユニット２１、駐車情報表示ユニット２２、および駐車スペース制御ユニット２３と接続され、通信網３を介してユーザが有するユーザ端末装置４に接続されており、  
　駐車場管理センタ１は、複数の駐車場２を管理するものであり、 
　駐車場２は、駐車スペースを有し、それぞれの駐車スペースには、駐車スペース制御ユニット２３が、それぞれ備えられ、  
　駐車場２の車両の入り口、および出口は、それぞれ１ヶ所ずつ設けられるとともに、駐車場ゲート制御ユニット２１がそれぞれ備えられ、  
　駐車場管理センタ１は、パーソナルコンピュータ１１、顧客ＤＢ（Data Base）１２、利用状況ＤＢ１３、店舗情報ＤＢ１４、および駐車予約ＤＢ１５を有し、 
　駐車場ゲート制御ユニット２１は、駐車場２への車両の進入時の処理、および駐車場２からの車両の退出時の処理（清算処理を含む）を制御するものであり、 
　パーソナルコンピュータ１１を構成するＣＰＵ３１は、入力された信号に基づいた各種処理を実行し、  
　駐車場ゲート制御ユニット２１は、制御部５１及び駐車予約ＤＢ５３を有し、 
　制御部５１は、入出力インターフェース５２を介して駐車場管理センタ１のパーソナルコンピュータ１１から入力される制御信号に従って、駐車予約ＤＢ５３のデータを書き込んだり、カードＲ／Ｗ部５４から入力されるユーザＩＤを基に、駐車予約ＤＢ５３を参照して、各種処理を実行し、  
　駐車予約ＤＢ５３には、駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録されるとともに、ゲートを通過した時刻などの情報を登録するようにしてもよく、 
　駐車場管理センタ１のパーソナルコンピュータ１１の駐車場予約処理について、ＣＰＵ３１は、ユーザ端末装置４が送信した、駐車場予約条件の入力を受け、入力された駐車場予約条件を基に、店舗情報ＤＢ１４および利用状況ＤＢ１３を参照して、ユーザの利用店舗に最寄の出入口付近の空き駐車場スペースを検索し、空き駐車スペースがあると判断された場合、検索結果を基に、予約駐車番号を確定し、新規の予約番号を発生し、確定された予約駐車番号および予約番号を基に、利用状況ＤＢ１３および駐車予約ＤＢ１５を更新し、予約番号および駐車場予約情報をユーザ端末装置４に送信し、駐車場ゲート制御ユニット２１および駐車スペース制御ユニット２３に予約番号および駐車場予約情報を送信し、  
　駐車場ゲート制御ユニット２１の車両退出処理について、制御部５１は、入力された駐車情報から、駐車料金を算出し、算出された駐車料金を基に、入金部から、現金の入金を受けたり、入出力インターフェース５２を介して、駐車場管理センタ１のパーソナルコンピュータ１１に、ユーザのクレジットカードによる清算処理を行わせるための制御信号を送信するなどして、清算処理を実行し、
　駐車場管理センタ１のパーソナルコンピュータ１１の駐車場キャンセル処理について、ＣＰＵ３１は、ユーザ端末装置４が送信した駐車場予約キャンセル要求の入力を受け、利用状況ＤＢ１３、もしくは駐車予約ＤＢ１５を参照して、入力された予約番号で駐車場を予約しているユーザのユーザＩＤを検索し、顧客ＢＤを参照して、ユーザＩＤから、対応するユーザのクレジットカード番号を検索し、利用状況ＤＢ１３、もしくは駐車予約ＤＢ１５を参照して、予約時刻から、現在時刻までの駐車料金を算出し、該当するユーザのクレジットカードによる清算処理を実行し、予約番号から、ゲート番号および駐車番号を検索し、利用状況ＤＢ１３および駐車予約ＤＢ１５を更新し、対応する駐車場ゲート制御ユニット２１および駐車スペース制御ユニット２３に、予約番号および駐車場予約キャンセル情報を送信し、  
　駐車場ゲート制御ユニット２１の予約キャンセル処理について、制御部５１は、入出力インターフェース５２を介して、駐車場管理センタ１のパーソナルコンピュータ１１より、予約のキャンセルを示す信号を受信し、駐車予約ＤＢ５３を更新し、入出力インターフェース５２を介して、駐車場管理センタ１のパーソナルコンピュータ１１へ、予約キャンセルの完了を示す信号を送信し、処理が終了される、  
　駐車場管理システム。」 　  
 　 　  
２−１−２　甲２の記載事項  
　甲２には次の記載がある。  
（２ａ）「【０００１】  
　
本発明は、
駐車場予約システムに関する。
 ・・・  
【００２８】
　図１は、本実施形態の駐車場の予約制入庫システム１（以下、単に「予約制入庫システム１」という。）のシステム構成を示す概略図である。図１に示すように、
予約制入庫システム１は、
駐車場ブロック２と、駐車場を利用するユーザ側のユーザブロック３と、駐車場の予約管理を行う予約ブロック４（＝予約センター）とによって構成される。駐車場ブロック２は、駐車場の入庫ゲート５に設けられＤＳＲＣ通信を行うための路側機６と、駐車場内の所定日時毎の空き車庫情報等を管理する駐車場サーバ７とを含む。
・・・
【００６６】 
　（予約制入庫システム１の処理、入庫時における概要） 
　図１０は、予約制入庫システム１の処理の流れの一例を示すシーケンス・チャートであり、特に入庫処理の部分を示している。図１０に示すように、
駐車場の入庫ゲート５に設けられる路側機６は、
入庫するユーザ車両１１からのＷＣＮ送信信号を受信したか否かをチェックしている
駐車場を予約したユーザ車両１１が入庫ゲート５に近づき路側機６の通信領域に入ると、路側機６はユーザ車両１１のＥＴＣ車載機９と無線通信を行い、
車両情報としてのＷＣＮを受信する
駐車場サーバ７は、路側機６からのＷＣＮ確認要求を受けて（Ｓ２０３）、受信したＷＣＮが予約されたＷＣＮと一致するか否かを照合する（Ｓ２０４）。
【００６７】 
　図１５は、この受信したＷＣＮが予約されたＷＣＮと一致するか否かを照合する予約情報照合ステップ（Ｓ２０４）の処理を示すフローチャートである。図１５に示すように、駐車場サーバ７が予約情報照合処理プログラム６７を実行すると、予約情報データベース５９を検索して路側機６が受信したＷＣＮと予約情報データベース５９内の予約されたＷＣＮとが一致するか、すなわち予約されたＷＣＮであるか否かが判断される（Ｓ６０１）。
予約されたＷＣＮであると判断された場合には（Ｓ６０１：ＹＥＳ）、制御手段（ＣＰＵ５４）が入庫ゲート５を開くように制御し、ユーザ車両１１の入庫が許可され（Ｓ６０２）、予約情報照合処理を終了する。
・・・ 
【００８７】  
　・上記実施形態では、
予約情報はＥＴＣ車載機９のＷＣＮ、入庫希望日時とを含むものとし
クレジット番号、
利用者名（個人名）、
等を予約情報として用いてもよい。例えば、クレジット番号や利用者名を採用した場合には、出庫時における課金システムを自動的に実施可能な構成とすることができ、
 　 　  
２−１−３　甲３の記載事項  
　甲３には次の記載がある。  
（３ａ）「【０００１】  
【発明の属する技術分野】  
本発明は、
駐車場管理システムに関する。
・・・  
【００１１】
【発明の実施の形態】
以下、本発明の実施の形態を添付図面に基づいて詳細に説明する。
図１に、本発明に係る駐車場管理システムの第１実施形態の構成をブロック図で示す。
図１において、本第１実施形態の
駐車場管理システムは、駐車場の利用状態を管理するものであり、車室管理端末機１と、フラップユニット２と、クレジットカード精算端末機３と、を備えて構成する。
【００１２】
上記車室管理端末機１は、駐車場内に複数設けた個別の駐車区域毎に設置されて、駐車車両の入出庫管理機能と駐車料金精算機能とを有するものであり
【００１３】
また、
上記フラップユニット２は、上記駐車区域内に入庫した車両が移動できないように固定するもので
【００１４】
さらに、
上記クレジットカード精算端末機３は、駐車料金の精算時にクレジットカードによる金銭の受付処理をするものであり
【００１５】
また、
クレジットカード精算端末機３の内部構成は、
クレジットカード番号と共に精算金額及び暗号化された暗証番号を
センターに送信する通信部２３と、
複数の車室管理端末機１と接続し、各種データを送受信する接続インターフェース２６と、クレジットカード精算端末機３の制御を統括的に行う制御部２７と、備えており
・・・  
【００３９】  
ここで、上記ステップ４０における
クレジットカード精算端末機３による駐車料金の精算処理工程を
説明する。
 図７のステップ４０ａは、図６に示すステップ４０の初期状態を表している。このとき、
クレジットカード精算端末機３は、クレジットカードリーダ２１
が、読み取り可能状態にある。
利用者がクレジットカードを
クレジットカード挿入口１６に挿入すると
クレジットカードの番号が正常に読めたか否かが判定される。
【００４０】  
一方、ステップ４０ｃにおいて、
クレジットカードの番号が正常に読めた場合には、
通信部２３より図示省略のセンターにカード情報及び駐車料金等の決済情報を送信し、決済を要求する。
 　  
２−１−４　甲４の記載事項  
　甲４には次の記載がある。  
（４ａ）「【０００１】  
【発明の属する技術分野】
この発明は、
駐車料金をキャッシュレスで精算するためのシステム
に関する。
・・・  
【００４３】図１は、この発明による駐車料金精算システムの実施形態の一例を示すシステム構成図であり、図２は、この駐車料金精算システムが設置された駐車場の配置図である。  
【００４４】この図１および２において、駐車スペースＰには、それぞれ、その進入口側の床面に車止め１が取り付けられている。  
【００４５】さらに、この駐車スペースＰの進入口側の上方に架け渡されたバー２の中央部に、ＥＴＣ受信機３が取り付けられ、このバー２の柱部に、赤外線センサや超音波センサなどの駐車スペースＰ内に入庫した車両を検知する車両検知センサ４が取り付けられている。  
【００４６】そして、
この車止め１およびＥＴＣ受信機３，車両検知センサ４が、駐車場の管理事務所等に設置されたホスト・コンピュータ５に接続され、このホスト・コンピュータ５は、専用回線またはインターネットＩを介してクレジット会社６に接続されるようになっている。
・・・  
【００５９】この後、ホスト・コンピュータ５は、車止め１に駆動信号を出力して、ストッパを下降させることにより、車両が出庫するのを可能にする（ステップｂ５）。  
【００６０】そして、
ホスト・コンピュータ５は、
算出した駐車料金を、
クレジットカード番号に基づいて、専用回線またはインターネットＩを介してクレジット会社６に請求する
　 　　  
２−１−５　甲５の記載事項  
　甲５には次の記載がある。  
（５ａ）「【０００１】  
【発明が属する分野】
本発明は、駐車場を予約したユーザーに対する、予約遂行の手続きおよび決済を行うための技術に関する。
・・・  
【００４７】
（駐車場への入庫）
駐車場のゲートマシンへ、駐車場予約に係るクレジットカードを挿入する。すると、ゲートマシンは、予約用データに係る情報をクレジットカードの番号によって照合し、駐車券を発券する。駐車券の発券と同時に、駐車場のゲートを持ち上げ、入庫を可能とする。
・・・  
【００５０】（
駐車場からの出庫）
ゲートマシンへ駐車券を挿入する。すると、クレジットカードを挿入するための挿入口が開き、ユーザーのクレジットカード挿入を促す。そして、クレジットカードが挿入されると、ゲートマシンは、そのクレジットカード番号を入力および記憶し、精算用データとともに蓄積する。そして、クレジットカード会社との間で精算手続きを行うためのデータとして処理する。
・・・ 
【００５３】
（定期処理）通常、ある間隔（例えば１分毎）にて、駐車場のゲートマシンと情報センター（予約サーバ）とは、データのやりとりを行っている。「ライフチェック」とは、情報センター（予約サーバ）と駐車場ＰＣとが正常に稼働しているかどうかをチェックすることである。また、情報センター（予約サーバ）は、入庫台数に関するデータを駐車場のゲートマシンから吸い上げ、予約が可能かどうか、空きはいくつあるか、予約は遂行されたか、等のデータを管理する。
・・・
【００５９】（図３）ユーザーは、
駐車場を予約する場合、
情報センター（予約サーバ）が用意している予約用サイトへアクセスする。
　 　  
２−１−６　甲６の記載事項  
　甲６には次の記載がある。  
（６ａ）「【０００１】  
　
本発明は、駐車場の所定位置に設置される撮影装置等の技術分野に関する。
・・・  
【００３６】  
　
予約受付ＡＰ部３１は、
当該予約者により入力された、予約者の氏名、
予約者の車両のナンバープレートの番号等の情報、
等の情報を取得するようになっている（予約受付）。こうして取得された情報は、ＸＭＬサーバ部３７によりＸＭＬデータベース部３８に登録されることになる。
・・・  
【００４８】  
　図４及び図５は、
車両が駐車場に入場する際における駐車場システムＳの動作
駐車場の予約受付が予約受付ＡＰ部３１によりなされ、予約者の車両のナンバープレートの番号等の情報がＸＭＬデータベース部３８に登録されると共に、
出入口用カメラ１及び駐車エリア用カメラ２のＸＭＬサーバ部１５に送信され、メモリに記憶されているものとする。  
【００４９】  
　図４において、例えば
予約者の車両が駐車場に入場する場合に、駐車場の出入口における閉じているゲートＧの手前に停車したとき、
車両のナンバープレート部分に照明が当てられ、
出入口用カメラ１のＸＭＬサーバ部１５に車両検知信号を送信する
【００５０】  
　
当該車両検知信号を受信したＸＭＬサーバ部１５は、映像撮影部１１に対して撮影開始指令を与え
これにより、当該映像撮影部１１は、ゲートＧに取り付けられた鏡に映った当該車両のナンバープレート表面を撮影し、撮影した映像
を、映像変換部１２及びＯＣＲ変換部１３に対して出力する
・・・  
【００５４】  
　次いで、
文字照合部１４は、ＯＣＲ変換部１３からの文字データと、メモリに記憶された文字データ（例えば、上記予約受付により登録された車両のナンバープレートの番号等の情報のデータ）とを照合し、照合結果（つまり、一致する（ＯＫ）であるか、一致しない（ＮＧ）であるか）を示す照合結果データ、及び上記文字データをＸＭＬサーバ部１５に対して出力する
 　  
２−１−７　甲７の記載事項  
　甲７には次の記載がある。  
（７ａ）「【０００１】  
【発明の属する技術分野】
本発明は、
駐車管理システムに関し
・・・  
【００３１】次に、第２の実施形態の作用を図５のフローチャートに従って説明する。図５において、まずステップ２０１では、各駐車エリア１〜ｎについての予約状況が各表示装置D1〜Dnに表示される。ここでは、
駐車の予約を受けると、その予約に対応して駐車エリアが割り当てられ、その駐車エリア番号、予約時間帯及び予約車両の車両番号が料金精算装置20の演算処理部21に送られ、駐車テーブル22a の該当する駐車エリア１〜ｎに対応させて記憶されるものとする。
 　  
２−１−８　甲８の記載事項  
　甲８には次の記載がある。  
（８ａ）「【０００１】  
【発明の属する技術分野】
この発明は、駐車予約精算機及びこの予約精算機を備えた駐車システムに係り
・・・  
【００２４】サーバは、電話網を含むインターネット網７０に接続され、このインターネット網７０には、携帯電話７６からの駐車場検索或いは予約依頼等の情報が送信される電話局等の基地局７２或いは利用者のパソコン７４に接続されている。従って、
駐車場管理システム３０は、サーバ６６を介してインターネット網７０に接続され、
携帯電話７６或いは利用者パソコン７４から駐車場の予約を受けることができる。
【００２５】上述した駐車システムにおける駐車予約の手順及び駐車場管理の方法について図５から図１３を参照して説明する。  
【００２６】始めに、
車両１０が直接駐車場に来場して車両１０を駐車する場合について
説明する。
【００２７】図６にステップＳ１０で示すように駐車予約の手順が開始された状態で、車両１０が遮断開閉装置１２に近づくと、センサ１３、１５が作動してステップＳ１２に示すように
車両１０が遮断開閉装置１２の手前で停止されたことが検出される。
駐車予約精算機４には、
”予約済みですか？”、”はい（ＹＥＳ）”及び”いいえ（ＮＯ）”が表示される。駐車場利用者が”いいえ（ＮＯ）”を選択すると、
駐車場利用モードの選択画面が表示装置４に表示される。
【００２８】
この選択画面には、現在日付及び時刻と共に駐車期間のモード選択項目、
が表示される。ここで、時間貸しＴ１では、３０分単位で１２時間までの予約が可能であり
 　  
２−１−９　甲９の記載事項  
　甲９には次の記載がある。  
　なお、翻訳文は、申立人が提出した甲９の部分翻訳を参照して合議体が作成した。  
（９ａ）「[０００２]　This application relates in general to motor vehicle parking control and management and, in particular, to a computer-implemented system and method for managing motor vehicle parking reservations.  
・・・  
 [００４６]　A suite of parking services 12 is provided through one or more servers 11 , which are located within a network of smart parking devices 13 a-c, sensors 14 a-c, and parking services kiosks 19 . The parking services 12 are account-based and enable motorists and other users to determine the availability of, reserve, and efficiently use parking, as further described below in detail beginning with reference to FIG. 3 .  
 [００４７]　The parking devices 13 a-c and parking services kiosks 19 are associated with one or more parking spaces and allow motorists to reserve or transact on-street parking through the parking services server 11 .」  
「[０００２]　
本発明は、
自動車駐車制御および管理に関し
・・・  
 [００４６]　一式のパーキングサービス12は、スマートパーキング装置13 a-cのネットワーク内に設けられた１つ以上のサーバ11と、センサ14 a-cと、パーキングサービスキオスク19とを備えている。図３以降の図を参照しつつ以下に詳しく述べるように、
パーキングサービス12は、
駐車予約および駐車の効率的利用を判断することを可能にする。
 [００４７]　
パーキング装置13 a-cおよびパーキングサービスキオスク19は、１つ以上のパーキングスペースに関連づけられ、車両運転者がパーキングサーバー11を介して駐車場の予約または決裁を行うことを可能にする。
 　  
２−１−１０　甲１０の記載事項  
　甲１０には次の記載がある。  
（１０ａ）「【０００１】  
　
本発明は、
駐車券発行装置に関する。
【背景技術】  
【０００２】  
　
一般に、時間貸し駐車場の駐車料金体系は、駐車場経営戦略などに基づいて様々に決められている。例えば、鉄道駅の近傍にある駐車場は、駐車場利用者の回転を良くするために逓増料金制を採用する場合が多い。一方、郊外にある駐車場は、駐車場利用者の利用時間を増やすことにより駐車場使用率を高めるために逓減料金制を採用する場合が多い。また、平日と週末とで逓増料金制と逓減料金制とを切り替えながら運用する駐車場もある。また、都市部には、複数の料金制を時間帯ごとに切り替えながら運用する駐車場もある。
 　  
２−１−１１　甲１１の記載事項  
　甲１１には次の記載がある。  
（１１ａ）「【０００１】  
【産業上の利用分野】
この発明は有料駐車場機器を遠隔管理するシステムに関するものである。
・・・  
【００２７】次に、
駐車場の料金体系を変更について説明する。駐車場の料金体系を変更する場合、メンテナンスステーション１２のワークステーション９で新たな料金体系プログラムを作成し
【００２８】公衆回線１から目的とする駐車場１１に呼びがかかると、ターミナルアダプタ２は呼出し信号を検出して、発着呼制御機３に通知する。発着呼制御機３は自動着信し、ターミナルアダプタ２を制御して回線を管理計算機４へ接続する。  
【００２９】その後、
メンテナンスステーション１２のデータ処理装置８から駐車場１１の管理計算機に対して新しい料金体系プログラムと、新しい料金を実施開始する年月日時が通知され、公衆回線１はターミナルアダプタ６により切断される。
【００３０】
管理計算機４はこの新料金体系プログラムと、実施開始年月日時の情報を駐車場機器５−１〜５−ｎに展開して実行し、各駐車場機器５−１〜５−ｎは指定された年月日時を境に、旧料金と新料金を使い分ける。
 　  
２−２　対比・判断  
（１）本件発明１について  
ア　対比  
　本件発明１と甲１発明とを対比する。  
（ア）甲１発明の「駐車場管理センタ１」は、「パーソナルコンピュータ１１、顧客ＤＢ（Data Base）１２、利用状況ＤＢ１３、店舗情報ＤＢ１４、および駐車予約ＤＢ１５を有し」、「複数の駐車場２を管理するものであ」るところ、「パーソナルコンピュータ１１を構成するＣＰＵ３１は、入力された信号に基づいた各種処理を実行」するものである。 
　ここで、上記「各種処理」に関する「駐車場管理センタ１のパーソナルコンピュータ１１の駐車場予約処理」について、上記「ＣＰＵ３１」は、「ユーザ端末装置４が送信した、駐車場予約条件の入力を受け、入力された駐車場予約条件を基に、店舗情報ＤＢ１４および利用状況ＤＢ１３を参照して、ユーザの利用店舗に最寄の出入口付近の空き駐車場スペースを検索し、空き駐車スペースがあると判断された場合、検索結果を基に、予約駐車番号を確定し、新規の予約番号を発生し、確定された予約駐車番号および予約番号を基に、利用状況ＤＢ１３および駐車予約ＤＢ１５を更新し、予約番号および駐車場予約情報をユーザ端末装置４に送信し、駐車場ゲート制御ユニット２１および駐車スペース制御ユニット２３に予約番号および駐車場予約情報を送信」するものであるから、上記「駐車場管理センタ１」が、予約を受け付けて複数の駐車場２の予約管理を統括することは技術的に明らかである。  
　また、上記「各種処理」に関する「駐車場管理センタ１のパーソナルコンピュータ１１の駐車場キャンセル処理」について、上記「ＣＰＵ３１」は、「ユーザ端末装置４が送信した駐車場予約キャンセル要求の入力を受け」るものであるから、上記「駐車場管理センタ１」が、要求に応じて予約変更を受け付け可能とであることも技術的に明らかである。
　さらに、甲１（摘示（１ｂ）（１ｃ））の「駐車場管理センタ１は、駐車場管理センタ１が管理する駐車場２−１乃至２−ｎに設置されている」（段落【００２７】）、「駐車場２−１は、５０台分の駐車スペースを有する。それぞれの駐車スペースには、駐車番号１乃至５０がつけられ」（段落【００２９】）及び図１等の記載によれば、「駐車場管理センタ１」が管理する複数の駐車場２は、互いに異なる場所にあることも明らかである。
　したがって、甲１発明の「駐車場管理センタ１」は、本件発明１の「予約を受け付けて互いに異なる場所にある複数の駐車場の予約管理を統括するとともに、要求に応じて予約変更を受け付け可能とする予約管理サーバ」に相当するものといえる。  
（イ）甲１発明は、「駐車場２の車両の入り口、および出口は、それぞれ１ヶ所ずつ設けられるとともに、駐車場ゲート制御ユニット２１がそれぞれ備えられ」るものであるから、上記「駐車場ゲート制御ユニット２１」は、複数の駐車場２ごとにそれぞれ配置されることが明らかである。
　また、甲１発明の「駐車場ゲート制御ユニット２１」は、「制御部５１及び駐車予約ＤＢ５３を有し」、「制御部５１は、入出力インターフェース５２を介して駐車場管理センタ１のパーソナルコンピュータ１１から入力される制御信号に従って、駐車予約ＤＢ５３のデータを書き込んだり」することができることから、上記「駐車場ゲート制御ユニット２１」が、駐車場管理センタ１と通信可能であることも技術的に明らかである。 
　さらに、甲１発明は、「駐車場管理センタ１のパーソナルコンピュータ１１の駐車場キャンセル処理」について、「ＣＰＵ３１は、ユーザ端末装置４が送信した駐車場予約キャンセル要求の入力を受け、利用状況ＤＢ１３、もしくは駐車予約ＤＢ１５を参照して、入力された予約番号で駐車場を予約しているユーザのユーザＩＤを検索し、顧客ＢＤを参照して、ユーザＩＤから、対応するユーザのクレジットカード番号を検索し、利用状況ＤＢ１３、もしくは駐車予約ＤＢ１５を参照して、予約時刻から、現在時刻までの駐車料金を算出し、該当するユーザのクレジットカードによる清算処理を実行し、予約番号から、ゲート番号および駐車番号を検索し、利用状況ＤＢ１３および駐車予約ＤＢ１５を更新し、対応する駐車場ゲート制御ユニット２１および駐車スペース制御ユニット２３に、予約番号および駐車場予約キャンセル情報を送信」すること、「駐車場ゲート制御ユニット２１の予約キャンセル処理」について、「制御部５１は、入出力インターフェース５２を介して、駐車場管理センタ１のパーソナルコンピュータ１１より、予約のキャンセルを示す信号を受信し、駐車予約ＤＢ５３を更新し、入出力インターフェース５２を介して、駐車場管理センタ１のパーソナルコンピュータ１１へ、予約キャンセルの完了を示す信号を送信し、処理が終了される」こと、及び「駐車予約ＤＢ５３には、駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録される」ことから、甲１発明の「駐車場ゲート制御ユニット２１」は、駐車場管理センタ１から送信される予約変更を受け付けた場合の変更情報を含む予約情報を、駐車予約ＤＢ５３に格納することも技術的に明らかである。 
　さらにまた、甲１発明は、「駐車場２の車両の入り口、および出口は、それぞれ１ヶ所ずつ設けられるとともに、駐車場ゲート制御ユニット２１がそれぞれ備えられ」るものであるところ、上記「駐車場ゲート制御ユニット２１」は、「駐車場２への車両の進入時の処理、および駐車場２からの車両の退出時の処理（清算処理を含む）を制御するもの」であるから、上記「駐車場ゲート制御ユニット２１」が、現地において精算を含む駐車場での入場から出場までの管理を行うことも技術的に明らかである。 
　したがって、甲１発明の「駐車場ゲート制御ユニット２１」と本件発明１の「前記複数の駐車場ごとにそれぞれ配置され、前記予約管理サーバと通信可能で、前記予約管理サーバから送信される前記予約変更を受け付けた場合の変更情報を含む予約情報を入場状態に関するデータとともに格納し、格納した情報に基づいて、現地において精算を含む駐車場での入場から出場までの管理を行う複数の駐車場管理装置」とは、「前記複数の駐車場ごとにそれぞれ配置され、前記予約管理サーバと通信可能で、前記予約管理サーバから送信される前記予約変更を受け付けた場合の変更情報を含む予約情報を格納し、現地において精算を含む駐車場での入場から出場までの管理を行う複数の駐車場管理装置」の限度で共通するものといえる。 
（ウ）甲１発明の「駐車場管理システム」は、本件発明１の「駐車場管理システム」に相当する。  
 　  
　したがって、本件発明１と甲１発明とは、  
「予約を受け付けて互いに異なる場所にある複数の駐車場の予約管理を統括するとともに、要求に応じて予約変更を受け付け可能とする予約管理サーバと、 
　前記複数の駐車場ごとにそれぞれ配置され、前記予約管理サーバと通信可能で、前記予約管理サーバから送信される前記予約変更を受け付けた場合の変更情報を含む予約情報を格納し、現地において精算を含む駐車場での入場から出場までの管理を行う複数の駐車場管理装置と 
　を備える、
　駐車場管理システム。」の点で一致し、以下の点で相違する。  
 　 　  
＜相違点１＞ 
「駐車場管理装置」における「駐車場での入場から出場までの管理」の態様について、本件発明１は、駐車場管理装置が、予約情報を「入場状態に関するデータとともに格納し、格納した情報に基づいて」管理を行うのに対し、甲１発明は、駐車場ゲート制御ユニット２１が、「駐車場２への車両の進入時の処理、および駐車場２からの車両の退出時の処理（清算処理を含む）を制御するものであり」、その管理は、少なくとも「駐車予約ＤＢ５３には、駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録されるとともに、ゲートを通過した時刻などの情報を登録するようにしてもよく」として構成されている点。 
＜相違点２＞
　本件発明１は、「前記複数の駐車場管理装置は、管轄下にある現地の駐車場ごとにおいて精算を行う精算機を管理し、前記精算機は、クレジット決済用の決済システムと通信し、現地に設置された前記駐車場管理装置の管理下において、前記予約管理サーバを介さずに、現地と前記決済システムとの間でクレジット決済処理を可能にしている」のに対し、甲１発明は、「駐車場ゲート制御ユニット２１は、駐車場２への車両の進入時の処理、および駐車場２からの車両の退出時の処理（清算処理を含む）を制御するものであり」、「駐車場ゲート制御ユニット２１の車両退出処理について、制御部５１は、入力された駐車情報から、駐車料金を算出し、算出された駐車料金を基に、入金部から、現金の入金を受けたり、入出力インターフェース５２を介して、駐車場管理センタ１のパーソナルコンピュータ１１に、ユーザのクレジットカードによる清算処理を行わせるための制御信号を送信するなどして、清算処理を実行」するものである点。
　 
イ　判断  
（ア）相違点１について
ａ　甲１発明は、駐車場ゲート制御ユニット２１が、「駐車場２への車両の進入時の処理、および駐車場２からの車両の退出時の処理（清算処理を含む）を制御するものであ」るところ、その管理は、少なくとも「駐車予約ＤＢ５３には、駐車予約を識別するための番号である予約番号、駐車予約を行ったユーザを識別するためのユーザＩＤ、駐車予約された駐車スペースに対応する予約駐車番号、および駐車場の利用開始時間を示す予約時刻が登録されるとともに、ゲートを通過した時刻などの情報を登録するようにしてもよく」として構成されるものである。 
　ここで、上記「駐車予約ＤＢ５３」に登録される「予約番号」、「ユーザＩＤ」、「予約駐車番号」及び「予約時刻」は、予約情報として位置けられるものであるから、かかる予約情報に基づいて、駐車場ゲート制御ユニット２１が、「駐車場２への車両の進入時の処理、および駐車場２からの車両の退出時の処理（清算処理を含む）を制御する」ことは技術的に明らかである。 
　さらに、甲１発明は、上記予約情報とともに、「ゲートを通過した時刻などの情報を登録するようにしてもよく」として管理されるものであって、上記「ゲートを通過した時刻などの情報」は、車両の入場状態に関するデータと位置付けられるものであるから、甲１発明は、上記予約情報を、入場状態に関するデータとともに格納し、格納した情報に基づいて管理を行うものということもできる。 
　してみると、上記相違点１は実質的な相違点とはいえない。 
ｂ　仮に上記相違点１が実質的な相違点であるとしても、上記ａで述べたとおり、甲１発明は、予約情報とともに、「ゲートを通過した時刻などの情報を登録するようにしてもよく」として管理されるものであるから、予約情報を、入場状態に関するデータとともに格納することに格別の困難性はない。
　また、甲２（摘示（２ａ））には、駐車場での管理に関し、駐車場の入庫ゲート５に設けられる路側機６が、入庫するユーザ車両１１からのＷＣＮ送信信号を受信したか否かをチェックし、駐車場サーバ７は、路側機６からのＷＣＮ確認要求を受けて、受信したＷＣＮが予約されたＷＣＮと一致するか否かを照合すること、さらに、予約されたＷＣＮであると判断された場合には、制御手段が入庫ゲート５を開くように制御し、ユーザ車両１１の入庫が許可され、予約情報照合処理を終了すること（【００６６】〜【００６７】）、及び、予約情報はＥＴＣ車載機９のＷＣＮ、入庫希望日時とを含むものとし、クレジット番号や利用者名を採用した場合には、出庫時における課金システムを自動的に実施可能な構成とすることができること（【００８７】）が記載され、 
　甲５（摘示（５ａ））には、駐車場での管理に関し、駐車場への入庫に際し、ゲートマシンは、予約用データに係る情報をクレジットカードの番号によって照合し、駐車券を発券し、駐車券の発券と同時に、駐車場のゲートを持ち上げ、入庫を可能とすること（【００４７】）、及び駐車場からの出庫に際し、ゲートマシンへ駐車券を挿入し、クレジットカードが挿入されると、ゲートマシンは、そのクレジットカード番号を入力および記憶し、精算用データとともに蓄積し、クレジットカード会社との間で精算手続きを行うためのデータとして処理すること（【００５０】）が記載されているように、
　駐車場での管理の態様として、駐車場管理装置（甲２の「駐車場サーバ７」、甲５の「ゲートマシン」）が、予約情報を入場状態に関するデータ（甲２の「ユーザ車両１１からのＷＣＮ送信信号」、甲５の「クレジットカードの番号」）とともに格納し、格納した情報に基づいて管理を行うことは、かかる技術分野の慣用技術というべきものであるから、予約情報とともに、「ゲートを通過した時刻などの情報を登録するようにしてもよく」として管理される甲１発明において、上記慣用技術をも参考として、予約情報を、入場状態に関するデータとともに格納し、格納した情報に基づいて管理を行うものとすることは、当業者であれば容易に想到し得るものといえる。 
　したがって、上記相違点１に係る本件発明１の構成は、甲１発明及び上記慣用技術に基いて当業者が容易に発明をすることができたものといえる。
　
（イ）相違点２について
ａ　上記相違点２に係る本件発明１の構成は、「前記複数の駐車場管理装置は、管轄下にある現地の駐車場ごとにおいて精算を行う精算機を管理し、前記精算機は、クレジット決済用の決済システムと通信し、現地に設置された前記駐車場管理装置の管理下において、前記予約管理サーバを介さずに、現地と前記決済システムとの間でクレジット決済処理を可能にしている」（以下「事項Ａ」ということもある。）というものである。
　ここで、上記事項Ａに関連し、本件明細書には、「また、図示の構成では、駐車場管理装置２０は、ＴＩＭ３０やＡＣＴ４０とは、別個独立して設置されるＰＣ等としているが、これは一例であり、駐車場管理装置２０は、現地の駐車場に関する管理全般を行えるものとなっていれば、このような態様に限らず種々の態様とすることが可能であり、例えば、ＴＩＭ３０やＡＣＴ４０の制御装置の一部に組み込まれた態様とすることも可能である。」（段落【００２９】）と記載されているから、本件発明１の「駐車場管理装置」は、「精算機（ＡＣＴ）」の機能をも具備して構成されたものとも解される。
　してみると、甲１発明の「駐車場ゲート制御ユニット２１」における「駐車場２からの車両の退出時の処理（清算処理を含む）を制御する」ことと、本件発明１の「駐車場管理装置」における上記事項Ａとは、「前記複数の駐車場管理装置は、管轄下にある現地の駐車場ごとにおいて精算を行う精算機を管理」する点で共通している、ということもできる。
　しかし、甲１発明は、「駐車場ゲート制御ユニット２１の車両退出処理について、制御部５１は、入力された駐車情報から、駐車料金を算出し、算出された駐車料金を基に、入金部から、現金の入金を受けたり、入出力インターフェース５２を介して、駐車場管理センタ１のパーソナルコンピュータ１１に、ユーザのクレジットカードによる清算処理を行わせるための制御信号を送信するなどして、清算処理を実行」するものであって、上記事項Ａの「前記精算機は、クレジット決済用の決済システムと通信し、現地に設置された前記駐車場管理装置の管理下において、前記予約管理サーバを介さずに、現地と前記決済システムとの間でクレジット決済処理を可能にしている」との構成とは技術的に異なるものであるから、甲１発明の上記「駐車場ゲート制御ユニット２１」及び「駐車場管理センタ１」による「清算処理」を、事項Ａの「精算機」による「クレジット決済処理」に変更することが、当業者にとって容易想到か否かについて検討する。
　
ｂ　検討
（ａ）甲２（摘示（２ａ））には、「駐車場予約システム」に関し（段落【０００１】）、予約制入庫システム１が駐車場ブロック２と、駐車場を利用するユーザ側のユーザブロック３と、駐車場の予約管理を行う予約ブロック４（＝予約センター）とによって構成され、駐車場ブロック２が、駐車場の入庫ゲート５に設けられＤＳＲＣ通信を行うための路側機６と、駐車場内の所定日時毎の空き車庫情報等を管理する駐車場サーバ７とを含むこと（段落【００２８】）、路側機６は、常に無線通信動作を行っており、入庫するユーザ車両１１からのＷＣＮ送信信号を受信したか否かをチェックし、駐車場を予約したユーザ車両１１が入庫ゲート５に近づき路側機６の通信領域に入ると、ユーザ車両１１のＥＴＣ車載機９と無線通信を行い車両情報としてのＷＣＮを受信すること（段落【００６６】）、駐車場サーバ７は、路側機６からのＷＣＮ確認要求を受けて、受信したＷＣＮが予約されたＷＣＮと一致するか否かを照合し、予約されたＷＣＮであると判断された場合には、制御手段（ＣＰＵ５４）が入庫ゲート５を開くように制御し、ユーザ車両１１の入庫が許可されること（段落【００６６】〜【００６７】）、及びクレジット番号や利用者名（個人名）等を予約情報として用いた場合には、出庫時における課金システムを自動的に実施可能な構成とすることができること（段落【００８７】）が記載されており、要するに、予約ブロック４（＝予約センター）と、駐車場ブロック２を構成する路側機６及び駐車場サーバ７とを備える駐車場予約システムにおいて、出庫時における課金システムを自動的に実施可能な構成とすることが記載されている（以下「甲２に記載された技術事項」ということもある。）。
　しかし、甲２には、上記自動的に実施可能とされる課金システムの具体的な構成まで記載されるものではないから、上記事項Ａが記載されているということはできない。
　したがって、甲１発明に甲２に記載された技術事項を適用しても、上記相違点２に係る本件発明１の構成に至るものではない。
（ｂ）甲３（摘示（３ａ））には、「駐車場管理システム」に関し（段落【０００１】）、駐車場管理システムが駐車場の利用状態を管理するものであり、車室管理端末機１と、フラップユニット２と、クレジットカード精算端末機３と、を備えて構成されること（段落【００１１】）、車室管理端末機１は、駐車場内に複数設けた個別の駐車区域毎に設置されて、駐車車両の入出庫管理機能と駐車料金精算機能とを有すること（段落【００１２】）、フラップユニット２は、駐車区域内に入庫した車両が移動できないように固定するものであること（段落【００１３】）、クレジットカード精算端末機３は、駐車料金の精算時にクレジットカードによる金銭の受付処理をするものであること（段落【００１４】）、クレジットカード精算端末機３の内部構成として、クレジットカード番号と共に精算金額及び暗号化された暗証番号をセンターに送信する通信部２３と、複数の車室管理端末機１と接続し、各種データを送受信する接続インターフェース２６と、クレジットカード精算端末機３の制御を統括的に行う制御部２７と、を備えること（段落【００１５】）、クレジットカード精算端末機３による駐車料金の精算処理工程として、クレジットカード精算端末機３のクレジットカードリーダ２１が、読み取り可能状態にある場合に、利用者がクレジットカードをクレジットカード挿入口１６に挿入するとクレジットカードの番号が正常に読めたか否かが判定され、クレジットカードの番号が正常に読めた場合には、通信部２３よりセンターにカード情報及び駐車料金等の決済情報を送信し、決済を要求すること（段落【００３９】〜【００４０】）が記載されており、要するに、車室管理端末機１と、フラップユニット２と、クレジットカード精算端末機３と、を備える駐車場管理システムにおいて、クレジットカード精算端末機３がセンターにカード情報及び駐車料金等の決済情報を送信し決済を要求することが記載されている（以下「甲３に記載された技術事項」ということもある。）。
　しかし、甲３に記載された「駐車場管理システム」は、あくまでも「車室管理端末機１」、「フラップユニット２」及び「クレジットカード精算端末機３」を備えることが前提とされるものであって、甲１発明の「駐車場管理システム」のように、「駐車場管理センタ１」及び「駐車場ゲート制御ユニット２１」を備えるものではなく、両者は「駐車場管理システム」の前提となる構成が異なることが明らかである。さらに、甲３に記載された「クレジットカード精算端末機３」は、駐車場内に複数設けた個別の駐車区域毎に設置される「車室管理端末機１」と接続されるものであるから、かかる「クレジットカード精算端末機３」と「車室管理端末機１」の相互関係は、甲１発明の「処理（清算処理を含む）」に係る構成と「駐車場ゲート制御ユニット２１」の相互関係と技術的に異なることが明らかであるから、甲１発明に、甲３に記載された技術事項を適用する動機付けは存在しない。　
　また、甲３には、上記事項Ａが記載されているということはできないから、仮に、甲１発明に甲３に記載された技術事項を適用しても、上記相違点２に係る本件発明１の構成に至るものでもない。
（ｃ）甲４（摘示（４ａ））には、「駐車料金をキャッシュレスで精算するためのシステム」に関し（段落【０００１】）、車止め１、ＥＴＣ受信機３及び車両検知センサ４が駐車場の管理事務所等に設置されたホスト・コンピュータ５に接続され、このホスト・コンピュータ５は、専用回線またはインターネットＩを介してクレジット会社６に接続されること（段落【００４６】）、及びホスト・コンピュータ５は、算出した駐車料金を、メモリに記録されているクレジットカード番号に基づいて、専用回線またはインターネットＩを介してクレジット会社６に請求することが記載されている（以下「甲４に記載された技術事項」ということもある。）。
　しかし、甲４に記載された「システム」は、あくまでも「車止め１」、「ＥＴＣ受信機３」、「車両検知センサ４」及び「ホスト・コンピュータ５」を備えることが前提とされるものであって、甲１発明の「駐車場管理システム」のように、「駐車場管理センタ１」及び「駐車場ゲート制御ユニット２１」を備えるものではなく、両者は「駐車場管理システム」の前提となる構成が異なることが明らかであるから、甲１発明に、甲４に記載された技術事項を適用する動機付けは存在しない。　
　また、甲４には、上記事項Ａが記載されているということはできないから、仮に、甲１発明に甲４に記載された技術事項を適用しても、上記相違点２に係る本件発明１の構成に至るものでもない。
（ｄ）甲５（摘示（５ａ））には、「駐車場を予約したユーザーに対する、予約遂行の手続きおよび決済を行うための技術」に関し（段落【０００１】）、駐車場を予約する場合、情報センター（予約サーバ）が用意している予約用サイトへアクセスすること（段落【００５９】）、駐車場から出庫する際に、ゲートマシンへ駐車券を挿入すると、クレジットカードを挿入するための挿入口が開き、クレジットカードが挿入されると、ゲートマシンは、そのクレジットカード番号を入力および記憶し、精算用データとともに蓄積し、クレジットカード会社との間で精算手続きを行うためのデータとして処理すること（段落【００５０】）が記載されており、要するに、情報センター（予約サーバ）と、ゲートマシンとを備える駐車場予約システムにおいて、ゲートマシンが、クレジットカード会社との間で精算手続きを行うためのデータを処理することが記載されている（以下「甲５に記載された技術事項」ということもある。）。
　しかし、甲５には、ゲートマシンの具体的な構成まで記載されるものではないから、少なくとも、上記事項Ａにおける「駐車場管理装置」が、「管轄下にある現地の駐車場ごとにおいて精算を行う精算機を管理」すること、及び、かかる「精算機」が、「クレジット決済処理を可能にしている」ことまで記載されているということはできない。
　したがって、甲１発明に甲５に記載された技術事項を適用しても、上記相違点２に係る本件発明１の構成に至るものではない。
（ｅ）ところで、申立人は、令和１年１１月１３日付けの意見書で、精算機が現地と決済システムとの間でクレジット決済処理を「予約管理サーバを介さずに」可能としているという事項は甲３や甲５に記載されているように周知技術といえるから、本件発明１は、甲１発明及び周知技術に基いて、当業者が容易に想到し得る旨主張する（２頁下から２行〜３頁１８行）。
　しかし、上記（ｂ）で述べたとおり、甲３に記載された「駐車場管理システム」は、甲１発明の「駐車場管理システム」のように、「駐車場管理センタ１」及び「駐車場ゲート制御ユニット２１」を備えるものではなく、両者は「駐車場管理システム」の前提となる構成が異なることが明らかであり、さらに、甲３に記載された「クレジットカード精算端末機３」と「車室管理端末機１」の相互関係は、甲１発明の「処理（清算処理を含む）」に係る構成と「駐車場ゲート制御ユニット２１」の相互関係とも技術的に異なることが明らかであるから、甲１発明に、甲３に記載された技術事項を適用する動機付けは存在しないし、仮に、甲１発明に甲３に記載された技術事項を適用しても、甲３には、上記事項Ａが記載されているということはできないから、かかる技術事項の適用によって上記相違点２に係る本件発明１の構成に至るものでもない。
　また、上記（ｄ）で述べたとおり、甲５には、ゲートマシンの具体的な構成まで記載されるものではないから、少なくとも、上記事項Ａにおける「駐車場管理装置」が、「管轄下にある現地の駐車場ごとにおいて精算を行う精算機を管理」すること、及び、かかる「精算機」が、「クレジット決済処理を可能にしている」ことまで記載されているということはできないから、引用発明に甲５に記載された技術事項を適用しても、上記相違点２に係る本件発明１の構成に至るものではない。
　したがって、申立人の上記主張は採用できない。
（ｆ）また、その他甲６〜１１に開示される技術について検討しても、甲６には、訂正前の請求項６及び７で特定する事項に関する技術について開示され（摘示（６ａ））、甲７には、訂正前の請求項７で特定する事項に関する技術について開示され（摘示（７ａ））、甲８及び９には、訂正前の請求項８で特定する事項に関する技術について開示され（摘示（８ａ）（９ａ））、甲１０及び１１には、訂正前の請求項９で特定する事項に関する技術について開示されているが（摘示（１０ａ）（１１ａ））、そのいずれにも、上記事項Ａについては記載も示唆もなされていないから、甲１発明に、甲６〜１１に記載された技術事項を適用しても、上記相違点２に係る本件発明１の構成には至らない。
　
ウ　小括
　以上のとおり、本件発明１は甲１発明と上記相違点１及び２において相違するものであるところ、相違点２に係る本件発明１の構成は上記イのとおり容易想到とはいえないものであるから、本件発明１は当業者が容易に発明をすることができたものとはいえない。
　
（２）本件発明２〜９について  
　本件発明２〜９は、本件発明１の発明特定事項を全て含み、さらに限定したものであるから、本件発明１と同様に、当業者が容易に発明をすることができたとはいえない。
　
第５　むすび 
　以上のとおりであるから、本件取消理由通知に記載した取消理由及び特許異議申立書に記載した申立理由によっては、本件請求項１〜９に係る特許を取り消すことはできない。　
　また、他に本件請求項１〜９に係る特許を取り消すべき理由を発見しない。 
　よって、結論のとおり決定する。
【異議決定日】
令和１年１２月２日（２０１９．１２．２）
【訂正の要旨】
審決（決定）の【理由】欄参照。
（５７）【特許請求の範囲】
　【請求項１】
　
予
互いに異なる場所にある複数の
統括する
する予約管理サーバと、
　前記複数の駐車場ごとにそれぞれ配置され、前記予約管理サーバと通信可能で、
を入場状態に関するデータとともに格納し、格納した情報
、
精算を含む
での入場から出場まで
複数の駐車場管理装置と
を備え、
　前記複数の駐車場管理装置は、管轄下にある現地の駐車場ごとにおいて精算を行う精算機を管理し、
　前記精算機は、クレジット決済用の決済システムと通信し、現地に設置された前記駐車場管理装置の管理下において、前記予約管理サーバを介さずに、現地と前記決済システムとの間でクレジット決済処理を可能としている、
　【請求項２】
　前記予約管理サーバは、前記予約変更として、駐車時間の延長又は予約キャンセルのうち少なくとも一方を受け付ける、請求項１に記載の駐車場管理システム。
　【請求項３】
　前
前
　【請求項４】
　前記駐車場管理装置は、前記予約変更を受け付けた場合、前記精算機に、変更後の予約内容に基づいて精算を行わせる、請求項３に記載の駐車場管理システム。
　【請求項５】
　前記駐車場管理装置は、前記予約情報に基づいて予約キャンセルがないまま未入場であった未入場車両があると判断された場合に、前記精算機に当該未入場車両に関するクレジット決済処理を行わせる、請求項３及び４のいずれか一項に記載の駐車場管理システム。
　【請求項６】
　現地の駐車場において前記駐車場管理装置による管理に基づいて駐車券を発行する発券機を備え、
　前記発券機は、前記予約管理サーバから送信される前記予約情報に基づいて予約された予約車両であるか否かを確認する予約車両確認部を有するとともに、前記予約車両であると確認された場合に、駐車券を発行するとともに確認結果を前記駐車場管理装置に送信する、請求項１から５までのいずれか一項に記載の駐車場管理システム。
　【請求項７】
　前記予約管理サーバは、予約を行う車両の車両番号と紐付して予約管理を行う、請求項１から６までのいずれか一項に記載の駐車場管理システム。
　【請求項８】
　前記予約管理サーバは、ユーザ端末装置からの予約及び予約の変更のほか、現地の駐車場に設置された機器からの予約及び予約の変更を受け付ける、請求項１から７までのいずれか一項に記載の駐車場管理システム。
　【請求項９】
　
前記